(57)【要約】【課題】本考案は、滑り止め機能を強化した排水溝蓋の構造を提供する。【解決手段】枠台座と、溝蓋本体とによって構成する。前記枠台座は、排水溝の上方の中空枠体に設置され、枠台座の底部には内側に延伸する凸縁が設けられ、枠台座の片側の両端には、それぞれ、内側に向かって位置決め枢軸が凸設される。前記溝蓋本体には行列状に配列された複数の排水孔が設けられ、溝蓋本体の上表面には滑り止め塗料が塗布され、溝蓋本体の底面には複数の補強部材が溶接され、溝蓋本体の片側の両端には二つの位置決め孔が設けられる。前記位置決め孔と前記枠台座の位置決め枢軸は相互に対応し、前記位置決め孔は枠台座の位置決め枢軸に穿設される。前記排水孔の口径幅は１０ミリ（ｍｍ）より小さい。【選択図】図３
0003168962.tif 000002
【実用新案登録請求の範囲】
【請求項１】
枠台座と、溝蓋本体とからなる排水溝蓋の構造であって、
前記枠台座は、排水溝の上方の中空枠体に設置され、枠台座の底部には、内側に延伸する凸縁が設けられ、枠台座の片側の両端には、それぞれ、内側に向かって位置決め枢軸が凸設され、
前記溝蓋本体には、行列状に配列された複数の排水孔が設けられ、溝蓋本体の上表面には滑り止め塗料が塗布され、溝蓋本体の底面には複数の補強部材が溶接され、溝蓋本体片側の両端には二つの位置決め孔が設けられ、前記位置決め孔と前記枠台座の位置決め枢軸は相互に対応して前記位置決め孔は枠台座の位置決め枢軸に穿設されることを特徴とする、排水溝蓋の構造。
【請求項２】
前記排水孔の口径は１０ミリ（ｍｍ）より小さいことを特徴とする、請求項１に記載の排水溝蓋の構造。
【請求項３】
前記滑り止め塗料は色を備えることを特徴とする、請求項１に記載の排水溝蓋の構造。
【請求項４】
前記補強部材は、排水孔の下方に位置することを特徴とする、請求項１に記載の排水溝蓋の構造。
【考案の詳細な説明】
【技術分野】
【０００１】
本考案は排水溝蓋の構造に関し、特に排水溝蓋の滑り止め機能を強化した排水溝蓋の構造に関する。
【背景技術】
【０００２】
図１に示すように、従来の排水溝蓋１は、鋳造で一体成型させてなる。排水溝蓋１は、水溝２の上面に直接嵌め込まれる。これらの排水溝蓋１には必ず排水孔１１が設けられており、それによって、水を排水溝２の中に流し込むことができる。排水溝蓋１は鋳造にて一体成型されるため、その重量は非常に重く、製造コストも高くなる。
【０００３】
これらの欠点に鑑み、あるメーカーによって格子柵状排水溝蓋３が開発されている。図２に示すように、格子柵状排水溝蓋３は、格子柵状板３１と、横バー３２と、フレーム３３とを備える。横バー３２は、格子柵状板３１に溶接される。それにより、格子柵状板３１は支えが得られ、一定の剛性と強度をもつことができる。格子柵状排水溝蓋３は、重量が軽く、施工がしやすいという利点がある。しかしながら、格子柵状排水溝蓋３は、使用する際、横バー３２が異物（例えば石）の圧迫を受けて、変形したり外れやすく、さらには、格子柵状排水溝蓋３全体が変形し、ひどい場合は、格子柵状排水溝蓋３の排水溝蓋の必要な機能を失ってしまう場合もある。
【０００４】
従来の鋳造方式の排水溝蓋１或いは格子柵状排水溝蓋３は、いずれも深刻な欠点が存在する。鋳造方式の排水溝蓋１も、格子柵状排水溝蓋３も、その表面は滑り止め機能を備えておらず、このため、通行人が、鋳造方式の排水溝蓋１或いは格子柵状排水溝蓋３上で滑って転倒することが度々生じる。また、鋳造方式の排水溝蓋１或いは格子柵状排水溝蓋３は、その排水孔の口径幅が大きすぎるため、通行人の物（例えば、靴のかかと、車椅子のタイヤ、杖のヘッド部等）がはまってしまいやすく、通行人が転んでしまう。
【考案の概要】
【考案が解決しようとする課題】
【０００５】
そこで、本考案は、滑り止め機能を強化した排水溝蓋の構造を提供することを目的とする。
【課題を解決するための手段】
【０００６】
本考案による排水溝蓋の構造は、枠台座と、溝蓋本体とによって構成する。前記枠台座は、排水溝の上方の中空枠体に設置され、枠台座の底部には内側に延伸する凸縁が設けられ、枠台座の片側の両端には、それぞれ、内側に向かって位置決め枢軸が凸設される。前記溝蓋本体には行列状に配列された複数の排水孔が設けられ、溝蓋本体の上表面には滑り止め塗料が塗布され、溝蓋本体の底面には複数の補強部材が溶接され、溝蓋本体の片側の両端には二つの位置決め孔が設けられる。前記位置決め孔と前記枠台座の位置決め枢軸は相互に対応し、前記位置決め孔は枠台座の位置決め枢軸に穿設される。前記排水孔の口径幅は１０ミリ（ｍｍ）より小さい。
【考案の効果】
【０００７】
本考案は、排水孔に通行人の物がはまるのを防ぐことができる。また、溝蓋本体の表面には滑り止め塗料が塗布されているため、溝蓋本体の上表面は滑り止め機能を備える。また、前記滑り止め塗料は色を備えているため、本考案の排水溝蓋の汎用性及び錆止め機能を高めることができる。
【図面の簡単な説明】
【０００８】
【図１】従来の排水溝蓋を示した概略図である。
【図２】もう一つの従来の排水溝蓋を示した概略図である。
【図３】本考案を示した分解斜視図である。
【図４】本考案の実施例を示した説明図である。
【考案を実施するための形態】
【０００９】
図３に示すように、本考案の排水溝蓋４は、少なくとも、枠台座５と、溝蓋本体６とからなる。
【００１０】
枠台座５は、排水溝の上方の中空枠体に設けられる。また、枠台座５の底部には、内側に延伸する凸縁５１が設けられ、枠台座５の片側の両端には、内側に向かって位置決め枢軸５２がそれぞれ凸設される。
【００１１】
溝蓋本体６は、鉄板プレス成形、或いは鋳造によってなり、溝蓋本体６には、複数の行列状、或いは各種幾何学形状に配列された排水孔６１が設けられる。排水孔６１の口径幅は、１０ミリ（ｍｍ）より小さく、それにより、排水孔６１に通行人の物（例えば、靴のかかと、車椅子のタイヤ、杖のヘッド部等）がはまってしまうのを防ぐことができ、また、排水孔６１の排水機能にも影響を及ぼさない。また、溝蓋本体６の上表面には、滑り止め塗料６ａが塗布される。それにより、溝蓋本体６の上表面は、滑り止め機能をもつことができる。また、滑り止め塗料６ａは色を備え、それにより、本考案の排水溝蓋４の汎用性及び錆止め機能を高めることができる。溝蓋本体６の底面には複数の補強部材６２が溶接され、補強部材６２は排水孔６１の下方に位置する。それにより、溝蓋本体６の剛性と強度を高めることができる。また、溝蓋本体６の片側の両端には、二つの位置決め孔６３が設けられ、位置決め孔６３と枠台座５の位置決め枢軸５２は相互に対応し、それにより、位置決め孔６３を枠台座５の位置決め枢軸５２に穿設させることができる。
【００１２】
本考案を実施する際は、図３と図４に示すように、枠台座５を排水溝７に設置し、溝蓋本体６の位置決め孔６３を枠台座５の位置決め枢軸５２に穿設すると、枠台座５の位置決め枢軸５２を軸の中心にして、溝蓋本体６を枠台座５からめくりあげたり、溝蓋本体６で枠台座５の蓋をしたりする動作を行うことができる。それにより、溝蓋本体６に盗難防止機能を備えさせることができる。以上のようにして、本考案の排水溝蓋４の組み立てを完了させることができる。
【００１３】
本考案には、以下の効果がある。溝蓋本体６に、行列状、或いは各種幾何学形状に配列された複数の排水孔６１を設け、排水孔６１の口径を１０ミリ（ｍｍ）より小さくすることで、排水孔６１に通行人の物がはまってしまうのを避けることができる。また、溝蓋本体６の表面に滑り止め塗料６ａを塗布することで、溝蓋本体６の上表面に滑り止め機能をもたせることができ、さらに、滑り止め塗料６ａは色を備えるため、本考案の排水溝蓋４の汎用性及び錆止め機能を高めることができる。また、溝蓋本体６の底面に複数の補強部材６２を溶接し、補強部材６２を排水孔６１の下方に配置させることで、溝蓋本体６の剛性と強度を強化することができる。また、溝蓋本体６は、鉄板プレス成形からなる平板体であり、それにより、使用する補強部材６２を減らしても、依然として十分な剛性と強度をもたせることができ、さらには、本考案の排水溝蓋４の製造コストを二十パーセント下げることができる。
【符号の説明】
【００１４】
１    排水溝蓋          
１１  排水孔        
２    排水溝
３    格子柵状排水溝蓋    
３１  格子柵状板  
３２  横バー
３３  フレーム
４    排水溝蓋
５    枠台座            
５１  凸縁
５２  枢軸
６    溝蓋本体        
６１  排水孔
６２  補強部材
６３  位置決め孔
６ａ  滑り止め塗料
７    排水溝
【図１】
0003168962.tif 000003
【図２】
0003168962.tif 000004
【図３】
0003168962.tif 000005
【図４】
0003168962.tif 000006